(57)【要約】【課題】コストが安く、正常なミラー表示ができる、液晶表示装置を提供する。【解決手段】行列状に配列された複数の信号線および複数の走査線を有する液晶パネル２と、各々が同一数の出力端子を有し、左から右へ順番に配置された単数の第１駆動部Ｓ１と、単数又は複数の第２駆動部Ｓ２，Ｓ３，Ｓ４と、単数の第３駆動部Ｓ５と、各駆動部Ｓ１〜Ｓ５に対し表示データを出力する制御部８とを備え、各駆動部Ｓ１〜Ｓ５の出力端子の合計数をＡとし、前記信号線の合計数をＢとし、Ａ＞Ｂとし、前記第１駆動部Ｓ１の左端に位置する（Ａ−Ｂ）／２個の出力端子を開放し、前記第３駆動部Ｓ５の右端に位置する（Ａ−Ｂ）／２個の出力端子を開放し、各駆動部Ｓ１〜Ｓ５が有するその他の出力端子と各信号線を接続した。【選択図】図１
2006267788.tif 000002
【特許請求の範囲】
【請求項１】
行列状に配列された複数の信号線および複数の走査線を有する液晶パネルと、各々が同一数の出力端子を有し、左から右へ順番に配置された単数の第１駆動部と、単数又は複数の第２駆動部と、単数の第３駆動部と、各駆動部に対し表示データを出力する制御部とを備え、各駆動部の出力端子の合計数をＡとし、前記信号線の合計数をＢとし、Ａ＞Ｂとし、前記第１駆動部の左端に位置する（Ａ−Ｂ）／２個の出力端子を開放し、前記第３駆動部の右端に位置する（Ａ−Ｂ）／２個の出力端子を開放し、各駆動部が有するその他の出力端子と各信号線を接続したことを特徴とする液晶表示装置。
【請求項２】
前記制御部に右方向シフトの選択信号が入力された場合、前記制御部に水平同期信号が入力されると、前記制御部は第１所定数のクロック信号を出力後に、各駆動部に対し、右方向スタートパルスを出力し、その後に、前記第１駆動部は所定数の第１無効データおよび前記表示データの一部を取り込み更新し、前記第２駆動部は前記表示データの続きを取り込み更新し、前記第３駆動部は前記表示データの残部および無効データを取り込み更新する事を特徴とする請求項１の液晶表示装置。
【請求項３】
前記制御部は、前記右方向スタートパルスを出力した時点から、第２所定数のクロック信号を出力し、その後に、各駆動部に対し、第１ストローブ信号を出力し、各駆動部は前記第１無効データおよび前記表示データおよび前記無効データを一時保存し、その後に出力する事を特徴とする請求項２の液晶表示装置。
【請求項４】
前記第１無効データは、前記第１駆動部の左端に位置する（Ａ−Ｂ）／２個の出力端子に対し出力される事を特徴とする請求項３の液晶表示装置。
【請求項５】
前記制御部に左方向シフトの選択信号が入力された場合、前記制御部に水平同期信号が入力されると、前記制御部は第１所定数のクロック信号を出力後に、各駆動部に対し、左方向スタートパルスを出力し、その後に、前記第３駆動部は所定数の第１無効データおよび前記表示データの一部を取り込み更新し、前記第２駆動部は前記表示データの続きを取り込み更新し、前記第１駆動部は前記表示データの残部および無効データを取り込み更新する事を特徴とする請求項１の液晶表示装置。
【請求項６】
前記制御部は、前記左方向スタートパルスを出力した時点から、第２所定数のクロック信号を出力し、その後に、各駆動部に対し、第１ストローブ信号を出力し、各駆動部は前記第１無効データおよび前記表示データおよび前記無効データを一時保存し、その後に出力する事を特徴とする請求項５の液晶表示装置。
【請求項７】
前記第１無効データは、前記第３駆動部の右端に位置する（Ａ−Ｂ）／２個の出力端子に対し出力される事を特徴とする請求項６の液晶表示装置。
【請求項８】
前記制御部の出力側に遅延回路を接続させ、前記遅延回路は、前記制御部が出力する第２ストローブ信号を、第３所定数のクロック信号だけ遅延させた前記第１ストローブ信号を出力する事を特徴とする請求項３又は請求項６の液晶表示装置。
【発明の詳細な説明】
【技術分野】
【０００１】
本発明は液晶表示装置に関する。
【背景技術】
【０００２】
従来、この種の装置として例えば、下記特許文献１に示されている。特許文献１によると、６４０×（Ｒ，Ｇ，Ｂ）×４８０ドットを得るために、１２個のソースドライバが用いられている。１個のソースドライバは１６０本の出力端子を有している。高価なソースドライバを多数用いるので、コストが高くなる第１の欠点がある。
【０００３】
この欠点を解消するための手段は、下記特許文献２に示されている。この特許文献２の図１によると、６４０×４８０ドットを得るために、３個のソースドライバが用いられている。１個のソースドライバは２４０本の出力端子を有している。この様に、使用されるソースドライバの個数が減り、コストが安くなる。
【特許文献１】特開平１０−６８９２６号公報
【特許文献２】特開平１０−１０５４６号公報
【発明の開示】
【発明が解決しようとする課題】
【０００４】
上記特許文献２の図１によると、右側に位置するソースドライバｓｄ３において、右端の８０本の出力端子は信号線に接続されない。そのために、ソースドライバｓｄ３，ｓｄ２，ｓｄ１の順にデータを出力した場合（ミラー表示）、左端の８０本の信号線が表示されなく、画像が部分的に欠落する第２の欠点がある。
【０００５】
そこで、本発明はこの様な従来の欠点を考慮して、コストが安く、正常なミラー表示ができる、液晶表示装置を提供する。
【課題を解決するための手段】
【０００６】
上記課題を解決するために、請求項１の本発明では、行列状に配列された複数の信号線および複数の走査線を有する液晶パネルと、各々が同一数の出力端子を有し、左から右へ順番に配置された単数の第１駆動部と、単数又は複数の第２駆動部と、単数の第３駆動部と、各駆動部に対し表示データを出力する制御部とを備え、各駆動部の出力端子の合計数をＡとし、前記信号線の合計数をＢとし、Ａ＞Ｂとし、前記第１駆動部の左端に位置する（Ａ−Ｂ）／２個の出力端子を開放し、前記第３駆動部の右端に位置する（Ａ−Ｂ）／２個の出力端子を開放し、各駆動部が有するその他の出力端子と各信号線を接続した。
【０００７】
請求項２の本発明では、前記制御部に右方向シフトの選択信号が入力された場合、前記制御部に水平同期信号が入力されると、前記制御部は第１所定数のクロック信号を出力後に、各駆動部に対し、右方向スタートパルスを出力し、その後に、前記第１駆動部は所定数の第１無効データおよび前記表示データの一部を取り込み更新し、前記第２駆動部は前記表示データの続きを取り込み更新し、前記第３駆動部は前記表示データの残部および無効データを取り込み更新する。
【０００８】
請求項３の本発明では、前記制御部は、前記右方向スタートパルスを出力した時点から、第２所定数のクロック信号を出力し、その後に、各駆動部に対し、第１ストローブ信号を出力し、各駆動部は前記第１無効データおよび前記表示データおよび前記無効データを一時保存し、その後に出力する。
【０００９】
請求項４の本発明では、前記第１無効データは、前記第１駆動部の左端に位置する（Ａ−Ｂ）／２個の出力端子に対し出力される。
【００１０】
請求項５の本発明では、前記制御部に左方向シフトの選択信号が入力された場合、前記制御部に水平同期信号が入力されると、前記制御部は第１所定数のクロック信号を出力後に、各駆動部に対し、左方向スタートパルスを出力し、その後に、前記第３駆動部は所定数の第１無効データおよび前記表示データの一部を取り込み更新し、前記第２駆動部は前記表示データの続きを取り込み更新し、前記第１駆動部は前記表示データの残部および無効データを取り込み更新する。
【００１１】
請求項６の本発明では、前記制御部は、前記左方向スタートパルスを出力した時点から、第２所定数のクロック信号を出力し、その後に、各駆動部に対し、第１ストローブ信号を出力し、各駆動部は前記第１無効データおよび前記表示データおよび前記無効データを一時保存し、その後に出力する。
【００１２】
請求項７の本発明では、前記第１無効データは、前記第３駆動部の右端に位置する（Ａ−Ｂ）／２個の出力端子に対し出力される。
【００１３】
請求項８の本発明では、前記制御部の出力側に遅延回路を接続させ、前記遅延回路は、前記制御部が出力する第２ストローブ信号を、第３所定数のクロック信号だけ遅延させた前記第１ストローブ信号を出力する。
【発明の効果】
【００１４】
請求項１の本発明では、信号数の合計数Ｂよりも、各駆動部の出力端子の合計数Ａを大きくし、第１駆動部の左端に位置する（Ａ−Ｂ）／２個の出力端子および第３駆動部の右端に位置する（Ａ−Ｂ）／２個の出力端子を開放する。その結果、普通の表示をする場合も、ミラー表示する場合も、画像が欠落することなく、正常な表示ができる。また、比較的に出力端子の多い駆動部を用いる事により、駆動部の総数が減るので、コストが安くなる。
【００１５】
請求項２の本発明では、右方向シフトの選択信号が入力された場合（即ち、普通の表示の場合）、第１駆動部は所定数の第１無効データを取り込むので、第１駆動部の開放した出力端子に、上記データを与えることができる。
【００１６】
請求項３の本発明では、普通の表示の場合、各駆動部は少なくとも、全ての表示データを一時保存し、出力するので、画像の欠落を防止できる。
【００１７】
請求項４の本発明では、普通の表示の場合、開放された（Ａ−Ｂ）／２個の出力端子に第１無効データが出力されるので、表示データは欠落することなく表示される。
【００１８】
請求項５の本発明では、左方向シフトの選択信号が入力された場合（即ち、ミラー表示の場合）、第３駆動部は所定数の第１無効データを取り込むので、第３駆動部の開放した出力端子に、上記データを与えることができる。
【００１９】
請求項６の本発明では、ミラー表示の場合、各駆動部は少なくとも、全ての表示データを一時保存し、出力するので、画像の欠落を防止できる。
【００２０】
請求項７の本発明では、ミラー表示の場合、開放された（Ａ−Ｂ）／２個の出力端子に第１無効データが出力されるので、表示データは欠落することなく表示される。
【００２１】
請求項８の本発明では、例えば、４８０個のデータ（Ｒ，Ｇ，Ｂ）を出力する制御部（汎用品）は、マージンを入れて４８６個のクロック信号により、第２ストローブ信号を出力する。しかし、第１無効データが１０個あるので、各駆動部は全部の表示データを取り込めない。そのため、第２ストローブ信号を、第３所定数のクロック信号だけ遅延した第１ストローブ信号を出力することにより、各駆動部は全部の表示データ（例えば４８０個）を取り込むことができる。
【発明を実施するための最良の形態】
【００２２】
以下に、本発明を実施するための最良の形態を、実施例および図面を用いて、詳細に説明する。しかし、以下に述べた実施例は、本発明の技術思想を具体化するための液晶表示装置を例示するものである。本発明は、この実施例に特定することを意図するものではない。本発明は、特許請求の範囲に示した技術思想を逸脱することなく、種々の変更を行なったものにも、均しく適用し得るものである。
【実施例】
【００２３】
以下に、図１ないし図３に従い、本発明の実施例の係る液晶表示装置１を説明する。図１は液晶表示装置１のブロック図である。図２は液晶表示装置１に用いられる制御部のブロック図である。図３は、液晶表示装置１に用いられる第１駆動部のブロック図である。
【００２４】
図１において、液晶パネル２は例えば、第１ガラス基板と第２ガラス基板との間に液晶が封入され、シール剤によりシールされたものである。第１ガラス基板の表面には、複数の信号線Ｓ１−２７０〜Ｓ１−１と、Ｓ２−３００〜Ｓ２−１と、Ｓ３−３００〜Ｓ３−１と、Ｓ４−３００〜Ｓ４−１と、Ｓ５−３００〜Ｓ５−３１（合計１４４０本）と、複数の走査線Ｇ１〜Ｇ２４０とが、行列状に配置されている。
【００２５】
信号線Ｓ１−２７０〜Ｓ５−３１と、走査線Ｇ１〜Ｇ２４０との交点は、絶縁膜により絶縁されている。各交点の近くには、各ＴＦＴおよび各画素電極が配置されている。各ＴＦＴのソースは信号線Ｓ１−２７０〜Ｓ５−３１に接続されている。各ＴＦＴのゲートは走査線Ｇ１〜Ｇ２４０に接続されている。各ＴＦＴのドレインは各画素電極に接続されている。
【００２６】
第２ガラス基板の裏面には、各々がストライプ状の赤色フィルタと、緑色フィルタと、青色フィルタが、この順に繰り返しで配置されている。各フィルタは、縦方向に１列に配置された各画素電極の上方に位置する様に、配置されている。各フィルタの下方には、保護膜を介して、共通電極が配置されている。
【００２７】
走査駆動回路Ｇは例えば、ドライバＩＣからなる。走査駆動回路Ｇは例えば、２４０個の出力端子を有する。各出力端子は、液晶パネル２に配置された各走査線Ｇ１〜Ｇ２４０に接続されている。
【００２８】
第１駆動部Ｓ１と第２駆動部Ｓ２，Ｓ３，Ｓ４と第３駆動部Ｓ５は各々、同一の構成であり、例えばＩＣからなる。これらの駆動部Ｓ１，Ｓ２，Ｓ３，Ｓ４，Ｓ５は、各々が同一数の出力端子（例えば３００）を有する。
【００２９】
左から右へ順番に、単数の第１駆動部Ｓ１と、単数又は複数の第２駆動部（図１では、複数のＳ２，Ｓ３，Ｓ４を例示）と、単数の第３駆動部Ｓ５が配置されている。
【００３０】
第１駆動部Ｓ１に設けられた右から１番目の出力端子は、液晶パネル２に設けられた信号線Ｓ１−１に接続されている。同様に、第１駆動部Ｓ１に設けられた右からＮ番目（Ｎ＝２〜２７０）の出力端子は、信号線Ｓ１−Ｎに接続されている。
【００３１】
第１駆動部Ｓ１に設けられた右から２７１〜３００番目の出力端子は開放され、液晶パネル２に設けられた信号線Ｓ１−１〜Ｓ１−２７０に接続されていない。
【００３２】
第２駆動部Ｓ２，Ｓ３，Ｓ４に設けられた右からＮ番目（Ｎ＝１〜３００）の出力端子は各々、液晶パネル２に設けられたＳ２−Ｎ，Ｓ３−Ｎ，Ｓ４−Ｎの信号線に接続されている。
【００３３】
第３駆動部Ｓ５に設けられた右からＮ番目（Ｎ＝３１〜３００）の出力端子は、液晶パネル２に設けられた信号線Ｓ５−Ｎに接続されている。
【００３４】
第３駆動部Ｓ５に設けられた右から１〜３０番目の出力端子は開放され、液晶パネル２に設けられた信号線Ｓ５−３１〜Ｓ５−３００に接続されていない。
【００３５】
上記内容をまとめる。各駆動部Ｓ１〜Ｓ５の出力端子の合計数をＡとする。図１では、Ａ＝３００×５＝１５００本である。信号線Ｓ５−３１〜Ｓ１−２７０の合計数をＢとする。図１では、Ｂ＝２７０＋３００＋３００＋３００＋２７０＝１４４０本であり、Ａ＞Ｂである。
【００３６】
第１駆動部Ｓ１において、左端に位置する（Ａ−Ｂ）／２＝（１５００−１４４０）／２＝３０本の出力端子は、開放されている。第３駆動部Ｓ５において、右端に位置する（Ａ−Ｂ）／２＝３０本の出力端子は開放されている。
【００３７】
各駆動部Ｓ１，Ｓ２，Ｓ３，Ｓ４，Ｓ５が有する、その他の出力端子は、各信号線Ｓ１−２７０〜Ｓ５−３１に接続されている。
【００３８】
図３に示す様に、第１駆動部Ｓ１はシフトレジスタ回路３と、データレジスタ回路４とラッチ回路５と、ＤＡ変換回路６と、出力回路７とにより構成されている。直流電圧ＶＤＤと、接地電圧ＶＳＳは各々、上記回路３，４，５，６，７に対し、並列に接続されている。
【００３９】
シフトレジスタ回路３には、制御部８から、右方向スタートパルスＥＩＳＦと、選択信号Ｒ／Ｌと、クロック信号ＣＬＫと、場合によっては、左方向スタートパルスＥＩＳＢが入力される。シフトレジスタ回路３は上記信号ＥＩＳＦ，Ｒ／Ｌ，ＣＬＫ，ＥＩＳＢを取り込み、更新し、一時保存するものである。
【００４０】
データレジスタ回路４はシフトレジスタ回路３に接続されている。データレジスタ回路４には、制御部８から、表示データＤＲ，ＤＧ，ＤＢと、極性反転信号ＰＯＬが入力される。表示データＤＲは、赤色のデータを示す６ビットのデジタル値からなる。表示データＤＧは、緑色のデータを示す６ビットのデジタル値からなる。表示データＤＢは、青色のデータを示す６ビットのデジタル値からなる。
【００４１】
データレジスタ回路４は、表示データＤＲ，ＤＧ，ＤＢと、極性反転信号ＰＯＬを取り込み、更新し、一時保存するものである。
【００４２】
ラッチ回路５は、データレジスタ回路４に接続されている。ラッチ回路５には、制御部８から、遅延回路９を介して、第１ストローブ信号ＳＴＲＢが入力される。
【００４３】
ラッチ回路５は、第１ストローブ信号ＳＴＲの立ち上がりに従って、データレジスタ回路４から出力され、更新された表示データＤＲ，ＤＧ，ＤＢを一時保存し、ＤＡ変換回路６に対し、出力するものである。
【００４４】
ＤＡ変換回路６は、ラッチ回路５に接続されている。ＤＡ変換回路６は、ガンマ補正電圧Ｖ０〜Ｖ１０が入力される。ＤＡ変換回路６は、ガンマ補正電圧Ｖ０〜Ｖ１０に従って表示データＤＲ，ＤＧ，ＤＢを各表示電圧（アナログ値）に変換するものである。
【００４５】
出力回路７はＤＡ変換回路６に接続されている。出力回路７には、第１ストローブ信号ＳＴＲＢが入力される。出力回路７は例えば、複数の内蔵するスイッチ部からなる。
【００４６】
出力回路７は、第１ストローブ信号ＳＴＲＢの立下りに従って、上記表示電圧（アナログ値）を、出力端子Ｋ１−１〜Ｋ１−３００へ出力する。
【００４７】
上述した様に、出力端子Ｋ１−１〜Ｋ１−２７０は各々、信号線Ｓ１−１〜Ｓ１−２７０に接続されている。出力端子Ｋ１−２７１〜Ｋ１−３００は開放されている。以上の部品により、第１駆動部Ｓ１は構成されている。
【００４８】
次に、図２に従い、制御部８を説明する。制御部８には、垂直同期信号ＶＳＹＮと、水平同期信号ＨＳＹＮと、選択信号Ｒ／Ｌと、画像データ（デジタル値）ＩＲＤ，ＩＧＤ，ＩＢＤと、ドットクロック信号ＤＯＴ  ＣＬＫが入力される。
【００４９】
制御部８の内部には、前処理部１０と、ＤＥカウンタ１１と、水平同期信号カウンタ１２と、ドットクロック信号カウンタ１３とを備えている。
【００５０】
前処理部１０からの出力信号と、ＤＥカウンタ１１の出力信号と、水平同期信号カウンタ１２の出力信号と、ドットクロック信号カウンタ１３の出力信号に従って、ＦＬＭ生成回路１４は、垂直スタートパルスＦＬＭを出力する。
【００５１】
ドットクロック信号カウンタ１３の出力信号に従って、ＣＰＶ生成回路１５は垂直クロック信号を出力する。
【００５２】
ドットクロック信号カウンタ１３の出力信号に従って、ＯＥ生成回路１６はゲートイネーブル信号ＯＥを出力し、ＳＴＲＢ生成回路１７は第２ストローブ信号ＳＴＲを出力し、ＰＯＬ生成回路１８は、極性反転信号ＰＯＬを出力する。
【００５３】
ＥＩＳＦ生成回路１９は、前処理部１０の出力信号に従って、スイッチング部２０に対し、右方向スタートパルスＥＩＳＦを出力する。ＥＩＳＢ生成回路２１は、前処理部１０の出力信号に従って、スイッチング部２０に対し、左方向スタートパルスＥＩＳＢを出力する。
【００５４】
スイッチング部２０には、選択信号Ｒ／Ｌが制御信号として入力される。仮に、使用者が選択信号Ｒ／Ｌを「Ｈ」に選択すれば、スイッチング部２０は右方向スタートパルスＥＩＳＦを出力する。仮に、使用者が選択信号Ｒ／Ｌを「Ｌ」に選択すれば、スイッチング部２０は左方向スタートパルスＥＩＳＢを出力する。
【００５５】
データシフト回路２２は、画像データＩＲＤ，ＩＧＤ，ＩＢＤの入力と、前処理部１０からの出力信号とにより、表示データＤＲ，ＤＧ，ＤＢを出力する。ドットクロック信号ＤＯＴ  ＣＬＫは処理されて、クロック信号ＣＬＫとして出力される。以上の部品により、制御部８は構成されている。
【００５６】
再び、図１において、遅延回路９は制御部８の出力側に接続されている。遅延回路９は例えば、フリップフロップ等により構成されている。
【００５７】
遅延回路９は、制御部８が出力する第２ストローブ信号ＳＴＲを、第３所定数（例えば８．５）のクロック信号ＣＬＫだけ遅延させた第１ストローブ信号ＳＴＲＢを出力する。
【００５８】
第１ストローブ信号ＳＴＲＢは、各駆動部Ｓ１〜Ｓ５に対し、出力される。制御部８は各駆動部Ｓ１〜Ｓ５に対し、表示データＤＲ，ＤＧ，ＤＢを出力する。
【００５９】
制御部８は各駆動部Ｓ１〜Ｓ５に対し、クロック信号ＣＬＫおよび極性反転信号ＰＯＬを出力する。
【００６０】
選択信号Ｒ／Ｌが「Ｈ」に選択された時、制御部８は第１リード線２３を介して、各駆動部Ｓ１〜Ｓ５に対し、右方向スタートパルスＥＩＳＦを出力する。
【００６１】
選択信号Ｒ／Ｌが「Ｌ」に選択された時、制御部８は第２リード線２４を介して、各駆動部Ｓ５〜Ｓ１に対し、左方向スタートパルスＥＩＳＢを出力する。
【００６２】
制御部８は走査駆動回路Ｇに対し、垂直スタートパルスＦＬＭと、ゲートイネーブル信号ＯＥと、垂直クロック信号ＣＰＶを出力する。以上の部品により、この液晶表示装置１は構成されている。
【００６３】
次に、図１ないし図４に従って、液晶表示装置１における、普通の表示の動作を説明する。図４は、選択信号Ｒ／Ｌが「Ｈ」に選択された時の、各信号の波形図である。図４（Ａ）は水平同期信号の波形図、図４（Ｂ）はクロック信号の波形図、図４（Ｃ）はクロック信号の番号である。図４（Ｄ）は、表示データＤＲ，ＤＧ，ＤＢの番号を示し、図４（Ｅ）はデータレジスタ回路４における、レジスタの番号を示す。図４（Ｆ）は右方向スタートパルスの波形図、図４（Ｇ）は第２ストローブ信号ＳＴＲの波形図、図４（Ｈ）は第１ストローブ信号ＳＴＲＢの波形図である。
【００６４】
最初に、使用者が制御部８において、選択信号Ｒ／Ｌを「Ｈ」に選択したとする。即ち制御部８に対し、右方向シフトの選択信号が入力される。
【００６５】
制御部８に対して、水平同期信号ＨＳＹＮが入力されると（図４（Ａ）参照）、制御部８は駆動部Ｓ１〜Ｓ５に対し、クロック信号ＣＬＫを出力する（図４（Ｂ）参照）。
【００６６】
この時、制御部８に設けられたカウンタ１３は、クロック信号ＣＬＫの番号をカウントし始める（図４（Ｃ）参照）。
【００６７】
制御部８は、第１所定数（例えば、図４では１４個）のクロック信号ＣＬＫを出力すると各駆動部Ｓ１〜Ｓ５に対し、右方向スタートパルスＥＩＳＦを出力する。即ち、この時、右方向スタートパルスＥＩＳＦは立ち上がる（図４（Ｆ）参照）。
【００６８】
その後、即ち、第１所定数のクロック信号ＣＬＫを出力し、更に１個のクロック信号ＣＬＫを出力させた時点において、第１駆動部Ｓ１は、所定数（例えば１０個）の第１無効データＣ２（Ｉｎｖａｌｉｄ  Ｄａｔａ）および表示データの一部Ｄ２（データ番号が１から９０までであり、図４（Ｄ）参照）を取り込み、更新（データの書き換え）する。この様に、上記データは左詰めにて取り込まれる。
【００６９】
即ち、この時、第１駆動部Ｓ１のデータレジスタ回路４において、レジスタ番号３００〜２７１に、第１無効データＣ２が更新される。
【００７０】
また、上記データレジスタ回路４において、レジスタ番号２７０〜１に、表示データの一部Ｄ２が更新（データの書き換え）される。第１駆動部Ｓ１の上記レジスタ番号は、２７０〜２６２までしか図示していない（図４（Ｅ）参照）。
【００７１】
また、図４（Ｅ）に示したレジスタ番号において、上段は表示データＤＲ（６ビット）に対応し、中段は表示データＤＧ（６ビット）に対応し、下段は表示データＤＢ（６ビット）に対応している。
【００７２】
次に、第２駆動部Ｓ２，Ｓ３，Ｓ４は、表示データの続きＥ２（図示せず）を、各データレジスタ回路４の中に取り込み、更新する。また、表示データの続きＥ２とは、データ番号が９１〜３９０のものである。
【００７３】
次に、第３駆動部Ｓ５は、内蔵するデータレジスタ回路４において、表示データの残部Ｆ２および無効データＧ２を取り込み、更新する。
【００７４】
図４において、表示データの残部Ｆ２とは、データ番号が３９１〜４８０のものである。無効データＧ２とは、上記残部Ｆ２に続くものであり、第１ストローブ信号ＳＴＲＢが立ち上がる前の３個である。
【００７５】
次に、制御部８は、右方向スタートパルスＥＩＳＦが出力した（立ち上がった）時点から、第２所定数（例えば、４８６＋０．５＋８＝４９４．５個）のクロック信号ＣＬＫを出力する（図４（Ｈ）参照）。
【００７６】
その後に、制御部８は各駆動部Ｓ１〜Ｓ５に対して、第１ストローブ信号ＳＴＲＢを出力する。即ち、この時、第１ストローブ信号ＳＴＲＢは立ち上がる。
【００７７】
この時、各駆動部Ｓ１〜Ｓ５は、第１無効データＣ２及び表示データ（Ｄ２＋Ｅ２＋Ｆ２）及び無効データＧ２を一時保存し、その後に出力する。
【００７８】
具体的には、第１駆動部Ｓ１は、内蔵するデータレジスタ回路４からラッチ回路５に対し、更新された第１無効データＣ２及び表示データの一部Ｄ２を出力させる。ラッチ回路５は上記データを一時保存しつつ、ＤＡ変換回路６に出力する。
【００７９】
ＤＡ変換回路６は上記データを、各表示電圧（アナログ値）に変換し、出力回路７に対し、上記各表示電圧を出力する。出力回路７は、第１ストローブ信号ＳＴＲＢの立下り時点に応じて、内蔵するスイッチ部をオンし、上記各表示電圧を出力する。
【００８０】
この様にして、第１無効データＣ２はアナログ変換され、第１駆動部Ｓ１の左端に位置する（Ａ−Ｂ）／２＝３０個の出力端子Ｋ１−２７１〜Ｋ１−３００に対し、出力される。その結果、上記３０個の出力端子は表示に寄与しない（上記３０個の出力端子は開放されているので）。
【００８１】
また、表示データの一部Ｄ２がアナログ変換された各表示電圧は、各々、第１駆動部Ｓ１の出力端子Ｋ１−１〜Ｋ１−２７０を介して、液晶パネル２に設けられた２７０個の信号線Ｓ１−１〜Ｓ１−２７０に出力される。
【００８２】
同様に、第１ストローブ信号ＳＴＲＢは立ち上がると、第２駆動部Ｓ２，Ｓ３，Ｓ４は各々、内蔵されたデータレジスタ回路４からラッチ回路５に対し、更新された表示データの続きＥ２を出力させる。
【００８３】
表示データの続きＥ２がアナログ変換された各表示電圧は各々、第２駆動部Ｓ２の出力端子Ｋ２−１〜Ｋ２−３００と、第２駆動部Ｓ３の出力端子Ｋ３−１〜Ｋ３−３００と、第２駆動部Ｓ４の出力端子Ｋ４−１〜Ｋ４−３００を介して、液晶パネル２に設けられた９００個の信号線Ｓ４−１〜Ｓ２−３００に出力される。
【００８４】
同様に、第１ストローブ信号ＳＴＲＢは立ち上がると、第３駆動部Ｓ５は、内蔵するデータレジスタ回路４からラッチ回路５に対し、更新された表示データの残部Ｆ２および無効データＧ２を出力させる。ラッチ回路５は上記データを一時保存しつつ、ＤＡ変換回路６へ出力する。
【００８５】
ＤＡ変換回路６は、表示データの残部Ｆ２をアナログ変換する。アナログ変換された各表示電圧は各々、第３駆動部Ｓ５の出力端子Ｋ５−３１〜Ｋ５−３００を介して、液晶パネル２に設けられた２７０個の信号線Ｓ５−３１〜Ｓ５−３００へ出力される。
【００８６】
また、無効データＧ２はアナログ変換され、第３駆動部Ｓ５の出力端子Ｋ５−２２〜Ｋ５−３０に対し、出力される。なお、第３駆動部Ｓ５の右端に位置する（Ａ−Ｂ）／２＝３０個の出力端子Ｋ５−１〜Ｋ５−３０は、表示パネル２に設けられた信号線に接続されていない。従って、上記出力端子Ｋ５−１〜Ｋ５−３０は表示に寄与しない。
【００８７】
次に、図１、図２、図３、図５に従って、液晶表示装置１における、ミラー表示の動作を説明する。図５は、選択信号Ｒ／Ｌが「Ｌ」に選択された時の、各信号の波形図である。図５（Ａ）は水平同期信号の波形図、図５（Ｂ）はクロック信号の波形図、図５（Ｃ）はクロック信号の番号である。図５（Ｄ）は、表示データＤＲ，ＤＧ，ＤＢの番号を示し、図５（Ｅ）はデータレジスタ回路４における、レジスタの番号を示す。図５（Ｆ）は左方向スタートパルスの波形図、図５（Ｇ）は第２ストローブ信号ＳＴＲの波形図、図５（Ｈ）は第１ストローブ信号ＳＴＲＢの波形図である。
【００８８】
最初に、使用者が制御部８において、選択信号Ｒ／Ｌを「Ｌ」に選択したとする。即ち制御部８に対し、左方向シフトの選択信号が入力される。
【００８９】
制御部８に対して、水平同期信号ＨＳＹＮが入力されると（図５（Ａ）参照）、制御部８は駆動部Ｓ５〜Ｓ１に対し、クロック信号ＣＬＫを出力する（図５（Ｂ）参照）。
【００９０】
この時、制御部８に設けられたカウンタ１３は、クロック信号ＣＬＫの番号をカウントし始める（図５（Ｃ）参照）。
【００９１】
制御部８は、第１所定数（例えば、図５では１４個）のクロック信号ＣＬＫを出力すると各駆動部Ｓ５〜Ｓ１に対し、左方向スタートパルスＥＩＳＢを出力する。即ち、この時、左方向スタートパルスＥＩＳＢは立ち上がる（図５（Ｆ）参照）。
【００９２】
その後、即ち、第１所定数のクロック信号ＣＬＫを出力し、更に１個のクロック信号ＣＬＫを出力させた時点において、第３駆動部Ｓ５は、所定数（例えば１０個）の第１無効データＣ１（Ｉｎｖａｌｉｄ  Ｄａｔａ）および表示データの一部Ｄ１（データ番号が１から９０までであり、図５（Ｄ）参照）を取り込み、更新（データの書き換え）する。この様に、上記データは右詰めにて取り込まれる。
【００９３】
即ち、この時、第３駆動部Ｓ５のデータレジスタ回路４において、レジスタ番号１〜３０に、第１無効データＣ１が更新される。
【００９４】
また、上記データレジスタ回路４において、レジスタ番号３１〜３００に、表示データの一部Ｄ１が書き換えられる。第３駆動部Ｓ５の上記レジスタ番号は、１〜３９までしか図示していない（図５（Ｅ）参照）。
【００９５】
また、図５（Ｅ）に示したレジスタ番号において、上段は表示データＤＲ（６ビット）に対応し、中段は表示データＤＧ（６ビット）に対応し、下段は表示データＤＢ（６ビット）に対応している。
【００９６】
次に、第２駆動部Ｓ４，Ｓ３，Ｓ２は、表示データの続きＥ１（図示せず）を、各データレジスタ回路４の中に取り込み、更新する。また、表示データの続きＥ１とは、データ番号が９１〜３９０のものである。
【００９７】
次に、第１駆動部Ｓ１は、内蔵するデータレジスタ回路４において、表示データの残部Ｆ１および無効データＧ１を取り込み、更新する。
【００９８】
図５において、表示データの残部Ｆ１とは、データ番号が３９１〜４８０のものである。無効データＧ１とは、上記残部Ｆ１に続くものであり、第１ストローブ信号ＳＴＲＢが立ち上がる前の３個である。
【００９９】
次に、制御部８は、左方向スタートパルスＥＩＳＢが出力した（立ち上がった）時点から、第２所定数（例えば、４８６＋０．５＋８＝４９４．５個）のクロック信号ＣＬＫを出力する（図５（Ｈ）参照）。
【０１００】
その後に、制御部８は各駆動部Ｓ５〜Ｓ１に対して、第１ストローブ信号ＳＴＲＢを出力する。即ち、この時、第１ストローブ信号ＳＴＲＢは立ち上がる。
【０１０１】
この時、各駆動部Ｓ５〜Ｓ１は、第１無効データＣ１及び表示データ（Ｄ１＋Ｅ１＋Ｆ１）及び無効データＧ１を一時保存し、その後に出力する。
【０１０２】
具体的には、第３駆動部Ｓ５は、内蔵するデータレジスタ回路４からラッチ回路５に対し、更新された第１無効データＣ１及び表示データの一部Ｄ１を出力させる。ラッチ回路５は上記データを一時保存しつつ、ＤＡ変換回路６に出力する。
【０１０３】
ＤＡ変換回路６は上記データを、各表示電圧（アナログ値）に変換し、出力回路７に対し、上記各表示電圧を出力する。出力回路７は、第１ストローブ信号ＳＴＲＢの立下り時点に応じて、内蔵するスイッチ部をオンし、上記各表示電圧を出力する。
【０１０４】
この様にして、第１無効データＣ１はアナログ変換され、第３駆動部Ｓ５の右端に位置する（Ａ−Ｂ）／２＝３０個の出力端子Ｋ５−１〜Ｋ５−３０に対し、出力される。その結果、上記３０個の出力端子は表示に寄与しない（上記３０個の出力端子は開放されているので）。
【０１０５】
また、表示データの一部Ｄ１がアナログ変換された各表示電圧は、各々、第３駆動部Ｓ５の出力端子Ｋ５−３１〜Ｋ５−３００を介して、液晶パネル２に設けられた２７０個の信号線Ｓ５−３１〜Ｓ５−３００に出力される。
【０１０６】
同様に、第１ストローブ信号ＳＴＲＢは立ち上がると、第２駆動部Ｓ４，Ｓ３，Ｓ２は各々、内蔵されたデータレジスタ回路４からラッチ回路５に対し、更新された表示データの続きＥ１を出力させる。
【０１０７】
表示データの続きＥ１がアナログ変換された各表示電圧は各々、第２駆動部Ｓ４の出力端子Ｋ４−１〜Ｋ４−３００と、第２駆動部Ｓ３の出力端子Ｋ３−１〜Ｋ３−３００と、第２駆動部Ｓ２の出力端子Ｋ２−１〜Ｋ２−３００を介して、液晶パネル２に設けられた９００個の信号線Ｓ４−１〜Ｓ２−３００に出力される。
【０１０８】
同様に、第１ストローブ信号ＳＴＲＢは立ち上がると、第１駆動部Ｓ１は、内蔵するデータレジスタ回路４からラッチ回路５に対し、更新された表示データの残部Ｆ１および無効データＧ１を出力させる。ラッチ回路５は上記データを一時保存しつつ、ＤＡ変換回路６へ出力する。
【０１０９】
ＤＡ変換回路６は、表示データの残部Ｆ１をアナログ変換する。アナログ変換された各表示電圧は各々、第１駆動部Ｓ１の出力端子Ｋ１−１〜Ｋ１−２７０を介して、液晶パネル２に設けられた２７０個の信号線Ｓ１−１〜Ｓ１−２７０へ出力される。
【０１１０】
また、無効データＧ１はアナログ変換され、第１駆動部Ｓ１の出力端子Ｋ１−２７１〜Ｋ１−２７９に対し、出力される。なお、第１駆動部Ｓ１の左端に位置する（Ａ−Ｂ）／２＝３０個の出力端子Ｋ１−２７１〜Ｋ１−３００は、表示パネル２に設けられた信号線に接続されていない。従って、上記出力端子Ｋ１−２７１〜Ｋ１−３００は表示に寄与しない。
【図面の簡単な説明】
【０１１１】
【図１】本発明の実施例に係る液晶表示装置１のブロック図である。
【図２】液晶表示装置１に用いられる制御部８のブロック図である。
【図３】液晶表示装置１に用いられる第１駆動部Ｓ１のブロック図である。
【図４】液晶表示装置１において、右方向へ表示データを出力した場合の、各信号の波形図である。
【図５】液晶表示装置１において、左方向へ表示データを出力した場合の、各信号の波形図である。
【符号の説明】
【０１１２】
２  液晶パネル
８  制御部
Ｓ１  第１駆動部
Ｓ２，Ｓ３，Ｓ４  第２駆動部
Ｓ５  第３駆動部
Ｓ１−２７０〜Ｓ５−３１  信号線
【図１】
2006267788.tif 000003
【図２】
2006267788.tif 000004
【図３】
2006267788.tif 000005
【図４】
2006267788.tif 000006
【図５】
2006267788.tif 000007